(57)【特許請求の範囲】
【請求項１】
可視光に対し透明又は半透明の上ハーフと下ハーフとによって構成され、かつ一対のテープリール収容室内に回転自在にそれぞれ収納されてある巻き取り側のリールと供給側のリールとに亘って一連のテープを巻回し、かつ前記テープが磁気テープ部と前記磁気テープ部の両端にそれぞれ付加された光透過性の高いリーダテープ部とから成り、
磁気記録再生装置に装着した状態では、磁気記録再生装置側の発光素子からの光が前記一対のテープリール収容室内に導かれ、かつ前記テープのテープ走行路を通過して前記一対のテープリール収容室外へ抜け出て磁気記録再生装置側の一対の受光素子にそれぞれ達するように、前記発光素子の位置と一対の前記受光素子の位置とをそれぞれ結ぶ各直線上に当る各壁部に光路用孔をそれぞれ設けた磁気テープカセットであって、
前記各光路用孔の周囲又は近傍に設けられ、かつ遮光効果を有する各遮光部は、光量の制限用開口部を有する遮光板と、前記上ハーフ及び／又は前記下ハーフに立設されたリブと、前記リブと所定間隔離間するように前記上ハーフ及び／又は下ハーフに立設されて前記遮光板を挟み込む挟持部材とにより構成され、
前記遮光板は、前記リブと前記挟持部材とにより挟持して保持されており、
前記リブの側面には、断面形状が略三角形のプリズムを複数連続して形成されており、
前記複数連続して形成されたプリズムは、前記リブの側面に対して前記発光素子側から照射される光を前記発光素子側へ反射するように、前記リブの側面に形成されており、
前記複数連続して形成されたプリズムと前記遮光板との組み合わせにより前記発光素子側から照射されて前記受光素子の受光にとって不要な外光を遮断することを特徴とする磁気テープカセット。
【請求項２】
請求項１記載の磁気テープカセットであって、
前記リブは、前記発光素子からの光が前記一対のテープリール収容室外へ抜け出る直後の前記光路用孔の周囲に設けられ、かつその形状が略Ｖ字状であることを特徴とする磁気テープカセット。
【発明の詳細な説明】
【０００１】
【発明の属する技術分野】
本発明は、磁気記録再生装置（以下、「ＶＴＲ」という。）の発光素子と一対の受光素子とを用いてテープエンドの検出がなされるテープカセットに関し、特にその筐体を可視光に対して透明又は半透明の上ハーフと下ハーフとによって構成した磁気テープカセットに関する。
【０００２】
【従来の技術】
本願出願人は、先に、テープカセットの材質（色、透明度、反射率）にかかわらずテープエンド検出の誤動作を防止でき、且つ、生産効率の極端な低下にならず大量生産に対応可能であり、しかも、カセットケース自体を透明度の高い材質で構成する場合にあって、テープカセットの色として本来意図している色を極力保持できるテープカセットを提案した。
【０００３】
以下、図１０〜図１３を参照して、先の提案に係るテープカセット１の概略構成について説明する。
受光素子に過剰な光量の光が到達し、ＶＴＲが誤動作する事を防止する遮光板を取り付けた先の提案に示した磁気テープカセット１の平面図の一例を図１０に示す。
【０００４】
同図は、テープカセット１の下ハーフ１ａの概略構成を示す平面図であり、巻き取り側のリール２３が収容される巻き取り側リール収容室２０と、供給側のリール２４が収容される供給側リール収容室２１と、ＶＴＲの図示しない光源が嵌入する光源嵌入孔３と、この光源嵌入孔３からＶＴＲの一対の受光素子５ａ、５ｂに至る光路４ａ、４ｂが形成されるとともに、テープカセット１内で乱反射した光源からの光が受光素子５ａ、５ｂに至るのを防止する遮光板２ａ、２ｂから大略構成されている。７は光路穴、８は壁面（リブ）、Ａ，Ｂは下ハーフ１ａの遮光板２ａ，２ｂの取り付け部分をそれぞれ示している。
【０００５】
図１１はテープカセット１の筐体（下ハーフ１ａ、上ハーフ１ｂ）を透明又は半透明な素材で構成した場合において、ＶＴＲの光源が嵌入する光源嵌入孔３と受光素子５ａとの間に特に遮光手段（遮光板２ａ）を採用しない場合の光線の状態を模式的に示すテープカセット１の部分断面図である。図１２はカセット１の筐体を透明又は半透明な素材で構成した場合において、光源嵌入孔３と受光素子５ａとの間に特に遮光板２ａを設けた場合の光線の状態を模式的に示すテープカセット１の部分断面図である。
【０００６】
図１１に示すように、巻き取り側リール収容室２０と受光素子５ａとの間に遮光板２ａを設けない場合は、ＶＴＲの光源から放射されテープカセット１内で乱反射した光も受光素子５ａに入射してしまうことになる。
一方、図１２に示すように、巻き取り側リール収容室２０と受光素子５ａとの間に遮光板２ａを設けた場合は、ＶＴＲの光源から放射されテープカセット１内で乱反射した光は遮光板２ａで遮光されて受光素子５ａに至ることはない。
なお、ここでは、巻き取り側リール収容室２０と受光素子５ａとの間の関係のみについて説明したが供給側リール収容室２１と受光素子５ｂとの間の関係についても同様である。
【０００７】
さて、一般的な黒色等の遮光性の高い素材で構成されたテープカセットでは、ＶＴＲ側に設けられた光源から出た光は光路４ａ、４ｂを通り、受光素子５ａ、５ｂに届く光路が形成されている。この光路中に磁性粉が塗布された磁気テープがあると光は磁気テープにより遮断され受光素子５ａ、５ｂには殆ど光が入射しない状態となる。また、磁性粉が塗布された磁気テープの両端部には、磁性粉が塗布されていない図示しないリーダテープ部が設けられており、これらの部分は光源から出た光をよく透過させる構成となっているため、テープが走行して、磁気テープからリーダテープ部に変化する際、受光素子５ａ又は受光素子５ｂがＶＴＲの光源から受光する光量が変化するため、磁気テープ終端を検出することができる。
【０００８】
ところが、一例として、テープカセット１の筐体（下ハーフ１ａ、上ハーフ１ｂ）を透明又は半透明な素材で構成した場合、図１１に示すように、磁性粉が塗布された磁気テープが走行している場合であっても、テープカセット１内で乱反射した光が外乱光６になり受光素子５ａに到達する光が多くなり、ＶＴＲは磁気テープが終端に至ったと判断して誤動作を起こす可能性がある。
【０００９】
そこで、本願出願人の先の提案においては、図１２に示すように、テープカセット１の筐体内で乱反射して受光素子５ａに至る光量を制限する遮光板２ａを、巻き取り側テープ収容室２０から抜ける壁面（リブ）８の光路上に配置することでこの誤動作を防止している。この遮光板２ａには光量を制限する穴１１（図１３参照）を設け、リブ８に接するように接着剤などで貼付される。
【００１０】
【発明が解決しようとする課題】
前述したように、遮光板２ａ，２ｂを巻き取り側テープ収容室２０，供給側テープ収容室２１から抜ける壁面（リブ）８の光路上に配置することで、テープカセット１の筐体内で乱反射して受光素子５ａ，５ｂに至る外乱光６の光量を制限することができる。しかしながら、テープカセット１の筐体（下ハーフ１ａ、上ハーフ１ｂ）を透明又は半透明な素材で構成した場合には、構成部材内を進行し、構成部材の終端面で大気中に放射され、受光素子５ａ、５ｂに到達するという光の存在が判明した（図１２に示すリブ８の終端面イから放射される光６ｂ）。遮光板２ａ，２ｂはこの終端面イを遮光していないから、この光６ｂに対しては遮光板２ａ，２ｂでは十分な遮光効果がないことが明らかになった。これにより、ＶＴＲは磁気テープが終端に至ったと判断して誤動作を起こす可能性があり、この誤動作を防ぐためにはこの光６ｂを制限する必要が生じた。
【００１１】
そこで本発明は、特に、前記光路用孔の周囲又は近傍に設けられる遮光部を、光量の制限用開口部を有する遮光板と、上ハーフ及び／又は下ハーフに立設されたリブと、前記リブと所定間隔離間するように前記上ハーフ及び／又は下ハーフに立設されて前記遮光板を挟み込む挟持部材とにより構成し、前記リブと前記挟持部材とによって前記光量の制限用開口部を有する前記遮光板を挟み込んで保持する構成とし、また、前記リブの少なくとも一側面に断面形状が略三角形のプリズムを複数連続して形成する事で、リブの終端面から漏出し受光素子側へ出射する光を大幅に制限できるとともに、透明又は半透明の上下ハーフ内を進行する光をも制十分に制限でき、これによって確実なテープ終端検知ができる磁気テープカセットを提供することを目的とする。
【００１２】
【課題を解決するための手段】
上述した課題を解決するために、本発明は、下記（１），（２）の構成の磁気テープカセットを提供する。即ち、
（１）  可視光に対し透明又は半透明の上ハーフと下ハーフとによって構成され、かつ一対のテープリール収容室内に回転自在にそれぞれ収納されてある巻き取り側のリールと供給側のリールとに亘って一連のテープを巻回し、かつ前記テープが磁気テープ部と前記磁気テープ部の両端にそれぞれ付加された光透過性の高いリーダテープ部とから成り、
磁気記録再生装置に装着した状態では、磁気記録再生装置側の発光素子からの光が前記一対のテープリール収容室内に導かれ、かつ前記テープのテープ走行路を通過して前記一対のテープリール収容室外へ抜け出て磁気記録再生装置側の一対の受光素子にそれぞれ達するように、前記発光素子の位置と一対の前記受光素子の位置とをそれぞれ結ぶ各直線上に当る各壁部に光路用孔をそれぞれ設けた磁気テープカセットであって、
前記各光路用孔の周囲又は近傍に設けられ、かつ遮光効果を有する各遮光部は、光量の制限用開口部を有する遮光板と、前記上ハーフ及び／又は前記下ハーフに立設されたリブと、前記リブと所定間隔離間するように前記上ハーフ及び／又は下ハーフに立設されて前記遮光板を挟み込む挟持部材とにより構成され、
前記遮光板は、前記リブと前記挟持部材とにより挟持して保持されており、
前記リブの側面には、断面形状が略三角形のプリズムを複数連続して形成されており、
前記複数連続して形成されたプリズムは、前記リブの側面に対して前記発光素子側から照射される光を前記発光素子側へ反射するように、前記リブの側面に形成されており、
前記複数連続して形成されたプリズムと前記遮光板との組み合わせにより前記発光素子側から照射されて前記受光素子の受光にとって不要な外光を遮断することを特徴とする磁気テープカセット。
（２）  請求項１記載の磁気テープカセットであって、
前記リブは、前記発光素子からの光が前記一対のテープリール収容室外へ抜け出る直後の前記光路用孔の周囲に設けられ、かつその形状が略Ｖ字状であることを特徴とする磁気テープカセット。
【００１３】
【発明の実施の形態】
以下、本発明の実施の態様につきその好ましい実施の形態について、ＶＨＳ方式カセットを例に説明する。
【００１４】
本発明の磁気テープカセットは、前記したテープカセット１の筐体（下ハーフ１ａ、上ハーフ１ｂ）を透明又は半透明な素材で構成した場合には、リブ８の終端面イから放射される光６ｂ（図１２）が光路穴７を介して受光素子５ａ、５ｂに到達するという光の存在が判明したこと、また、前記した遮光板２ａ，２ｂではこの光６ｂの遮光効果は不十分なことが明らかになったことにより、リブ８，ＰＢ，ＰＢ’の一側面にプリズム８ａを形成したものである。このプリズム８ａの形成は、前記したＡ，Ｂ部分に対向して組み合される上ハーフ１ｂの形状を一部変更して行うものであり、これ以外の構成はテープカセット１の構成と同一である。前述したものと同一構成部分には同一符号を付しその説明を省略する。
【００１５】
［第１の実施の形態］
まず、第１の実施の形態について、図１〜図３を参照して説明する。
図１、図３は、それぞれ図１０におけるＡ部分近傍の構成を示す図である。図１は第１の実施の形態の構成を示す斜視図であり、図２は図１のリブに設けられたプリズムを説明するための図、図３は第１の実施の形態の変形例である。
【００１６】
図１に示すように、遮光板２ａには光量を制限するための穴１１が開いており、前記した光路４ａ上にこの穴１１を正確に置くことで、光路穴７を介して、適正な光量の光を受光素子５ａ側へ通過させることができる。これによって光量の変動によるＶＴＲのテープエンドの誤検出を防止できるようになっている。この実施の形態では、リブ８には保持部９が一体に成形されており、全体としてその断面がコ字状のスリット１０が互いに対向した態様になっている。
従って、遮光板２ａを保持部９側のスリット１０に挿入することにより遮光板２ａは安定して保持部９で保持される。このようにコ字状のスリット１０に構成したのは、狭い場所でも薄肉でかつ遮光板保持部としての強度を保てるからである。
【００１７】
前記したリブ８の一側面には、断面形状が概三角形のプリズム８ａを天地方向に垂直に連続して形成されている。このプリズム８ａの寸法は、図２に示すように、高さｈ＝０．１ｍｍ、幅ｌ＝０．１ｍｍで、下ハーフ１ａの成型時に一体成形にて設けられる。
【００１８】
ここで、前記した遮光板２ａの保持部９の構造は、光路穴７を設けた下ハーフ１ａのリブ８の高さＨがテープカセット１の全厚みＴの１／２より高く設定されている。ＶＨＳ方式カセットではＴ＝２５ｍｍであるから、リブ８の高さＨは１２．５ｍｍより高く設定される。このような構成にすることで、保持部９において遮光板２ａの反りや変形を軽減でき、こうした保持部９を有する下ハーフ１ａの上方から上ハーフ１ｂを確実に組み合わせてテープカセット１の筐体を得ることができる。
【００１９】
なお、前記した遮光板２ａとして樹脂ではなく、不織布等の比較的剛性の低い材質のものを用いる場合には、その反りや変形を規制するために保持部９に近接して円柱状の支え１２を設けてもよい。図１ではこの支え１２の高さを誇張して高く描いているが、その高さは、遮光板２ａの穴１１を塞いで光路穴７（光路４ａ）を塞がない範囲で自由に設定できる。
【００２０】
また、前記したリブ８は図１に示すように、光路穴７に対して両側の高さをテープカセット１の全厚Ｔの１／２より高く設定することが望ましいが、光路穴７に対してどちらか片側のみを延ばしても一定の効果が得られる。
前記した支え１２は、円柱状だけでなくコ字状のスリット１０の保持部９を両サイドから延ばして支えとする形状であれば良い。この場合、延長した部分にも穴７，１１を考慮する必要がある。
【００２１】
前述した図１に示した支え１２は１本であったが、図３に示すように、複数の円柱９ａ〜９ｅを立設してこれら円柱９ａ〜９ｅに保持部９としての機能と支え１２の機能とを兼用させる構成としてもよい。すなわち、最も外側の円柱９ａ，９ｅとリブ８とで遮光板２ａの両端を挟持し、また内側の３本の円柱９ｂ，９ｃ，９ｄで支え１２の機能を担わせる構成とする。この場合、内側の３本の円柱９ｂ〜９ｄの高さは遮光板２ａの穴１１（光路穴７）を妨げない範囲で設定すべきことは勿論である。なお、外側の２本の円柱９ａ，９ｅの高さとリブ８の高さとは、テープカセット１の全厚Ｔの１／２より高く設定される。この例は、遮光板２ａの厚みが厚い場合に適している。
【００２２】
図３は下ハーフ１ａの巻き取り側リール収容部２０側の遮光板２ａの保持部９と、リブ８とで構成されている。リブ８の片面に断面形状が概三角形をした、微少なプリズムを多数一体に形成する。このときプリズム８ａの寸法は、図２に示すように、高さｈ＝０．３５ｍｍ、幅ｌ＝０．１５ｍｍである。
【００２３】
［第２の実施の形態］
次に、第２の実施の形態として、下ハーフ１ａの供給側リール収容室２１側の遮光板２ｂ（Ｂ部分）の保持構造の例を、図４、図５を参照して説明する。この保持構造は保持スペースがより狭い場所に適している。図４は遮光板２ｂの保持構造の構成を示す分解斜視図であり、図５は図４の保持構造の平面図である。
【００２４】
本実施の形態においては、遮光板２ｂは可撓性のある樹脂又は薄い金属板で構成する。下ハーフ１ａには、光路穴７を挟んで所定距離離間した位置に円柱状の２本の支え１５，１５が一体成形で設けられている。また、光路穴７の下端から下ハーフ１ａの底面にかけて光路穴７から逃げた位置に小突起１３が設けられている。またリブ８の両端には遮光板２ｂの幅方向の位置を規制する規制突起１４，１４が設けられている。
【００２５】
前記した遮光板２ｂには、図５に示すように、その幅方向の両端が規制突起１４，１４で規制され小突起１３で図中左方に突出湾曲した態様で、２本の支え１５，１５とリブ８との間に挿入されて固定される。なお、光路穴７を設けたリブ８の高さがカセット全厚Ｔの１／２より高いことは、前述した巻き取り側リール収容室２０側の遮光板２ａ（Ａ部分）の場合と同様である。
【００２６】
前記したリブ８の一側面には断面形状が概三角形のプリズム８ａを天地方向に形成する。プリズム８ａの寸法は、図２に示すように、高さｈ＝２．０ｍｍ、幅ｌ＝２．０ｍｍで、下ハーフ１ａの成型時に一体成形にて設けられる。また、前述した第２の実施の形態の変形例としては、光路穴７に対しリブ８の片側のみを伸ばしても略同様の効果が得られる。
【００２７】
［第３の実施の形態］
次に第３の実施の形態を図６〜図９を参照して説明する。図６は上ハーフの平面図と断面図であり、図６（Ａ）は上ハーフ平面図、図６（Ｂ）は図６（Ａ）に示す断面線で切断した上ハーフ断面図をそれぞれ示し、図７は光路用穴近傍の斜視図であり、図７（Ａ）はＡ部分の部分拡大図、図７（Ｂ）はＡ部分の分解部分拡大図をそれぞれ示し、図８、図９はそれぞれプリズムを採用した場合の光線の状態を示す断面図、平面図である。
【００２８】
図６（Ａ）中のＡ１部分は、下ハーフ１ａの前記したＡ部分に対応して組み合わされる上ハーフ１ｂに設けられた保持部である。概『Ｖ』字型をなすリブＰＢ、ＰＢ’が構成されている。上下ハーフ１ａ，１ｂを組み合わせたときに、下ハーフ１ａのリブ８と当接する。図１と対象形をなす概『Ｖ』字型リブＰＢ、ＰＢ’（図６）の両面ｂ、ｂ’に（あるいは片面だけでもよいが）断面形状が概三角形をした、微少なプリズム８ａを多数一体に形成する。
【００２９】
プリズム８ａの寸法は、図９に示すように、高さｈ＝０．１５ｍｍ、幅ｌ＝０．３５ｍｍである。
ＶＴＲの光源である発光素子から出射され、テープカセット１の筐体（下ハーフ１ａ，上ハーフ１ｂ）を構成する部材の中を進行してくる光６ｂ（図１２）は、微小プリズム８ａがリブ８，ＰＢ，ＰＢ’の両面ｂ、ｂ’に形成されていなければ、リブ８，ＰＢ，ＰＢ’の終端面イから遮光板２ａを回避した後に、受光素子５ａ側に出射して、受光素子５ａに届いてしまう。この状態は前述した図１２に示した状態と同一である。
【００３０】
しかしながら、この微小プリズム８ａがリブ８，ＰＢ，ＰＢ’上に形成されていると、発光素子から進行してきた光６ａは、リブ８，ＰＢ，ＰＢ’の終端面イに到達する前に、プリズム８ａを透過して、大気中に放射され、終端面イで、受光素子５ａ側に放射される光６ｂは十分少なくなる（図８には光６ｂは図示していない）。これによって、受光素子５ａは光６ｂを検出しないから、この結果、受光光量の変動によるＶＴＲのテープエンドの誤検出を防止をより確実にできる（図８，図９参照）。また、リブＰＢ，ＰＢ’の概Ｖ字型形状とすることで、光６ｂの放射面積を十分広くできるから、受光素子５ａ側に放射される光６ｂは更に十分少なくなる。同時にカセットの強度もより高く保たれる。
【００３１】
上述したは、本発明の実施の形態としてＶＨＳ方式カセットを例にして説明したが、本発明はこれに限定されることなく、磁気記録再生装置側の発光素子と一対の受光素子とを用いてテープエンドの検出がなされる方式のテープカセットに対しても適用可能であることは言うまでもない。
【００３２】
【発明の効果】
以上詳述したように本発明によれば、特に、前記光路用孔の周囲又は近傍に設けられる遮光部を、光量の制限用開口部を有する遮光板と、上ハーフ及び／又は下ハーフに立設されたリブと、前記リブと所定間隔離間するように前記上ハーフ及び／又は下ハーフに立設されて前記遮光板を挟み込む挟持部材とにより構成し、前記リブと前記挟持部材とによって前記光量の制限用開口部を有する前記遮光板を挟み込んで保持する構成とし、また、前記リブの少なくとも一側面に断面形状が略三角形のプリズムを複数連続して形成する事で、リブの終端面から漏出し受光素子側へ出射する光を大幅に制限できるとともに、透明又は半透明の上下ハーフ内を進行する光も制十分に制限でき、これによって確実なテープ終端検知ができる磁気テープカセットを提供することができる。
また、前記したリブの形状を略Ｖ字型とすることで、前述した効果に加えて、リブの終端面から漏出し受光素子側へ出射する光をさらに大幅に制限できるとともに、光の放射面積を十分広くでき、同時にカセットの強度も高く保つことができる効果がある。
【図面の簡単な説明】
【図１】本発明の第１の実施の形態の下ハーフの巻き取り側リール収容室側に取り付けられる遮光板の取付態様を示す斜視図である。
【図２】図１の要部部分拡大図である。
【図３】本発明の第１の実施の形態の変形例を示す平面図である。
【図４】本発明の第２の実施の形態の下ハーフの供給側リール収容室側に取り付けられる遮光板の取付態様を示す分解斜視図である。
【図５】本発明の第２の実施の形態の下ハーフの供給側リール収容室側に取り付けられる遮光板の取付態様を示す平面図である。
【図６】本発明の第３の実施の形態の上ハーフに形成された略Ｖ字型のリブの平面図である。
【図７】図６の上ハーフの光路用穴周辺の部分分解拡大図である。
【図８】透明又は半透明の本発明のテープカセット（図１０）の光源嵌入孔に嵌入したＶＴＲの発光素子と受光素子との間に、遮光板とプリズム形状のリブとを重ねて介在したときの、適正な光量の光が受光素子に到達する状態を模式的に示す図である。
【図９】図８のプリズム形状のリブによる光線の反射状態を模式的に示す図である。
【図１０】先の提案に係るテープカセットの下ハーフの構成を説明するための平面図である。
【図１１】透明又は半透明のテープカセット（図１０）の光源嵌入孔に嵌入したＶＴＲの発光素子と受光素子との間に遮光板が存在しないときに、過剰な光量の光が受光素子に到達する状態を模式的に示す図である。
【図１２】透明又は半透明のテープカセット（図１０）の光源嵌入孔に嵌入したＶＴＲの発光素子と受光素子との間に遮光板が存在するときの、図１２の状態よりも減少した光量の光が受光素子に到達する状態を模式的に示す図である。
【図１３】図１２の遮光板の取り付け態様を示す部分拡大斜視図である。
【符号の簡単な説明】
１  テープカセット
１ａ  下ハーフ
１ｂ  上ハーフ
５ａ，５ｂ  受光素子
６ａ、６ｂ  ハーフ内を進行してきた光
７  光路穴（光路用孔）
８，ＰＢ，ＰＢ’  リブ、壁面（壁部）
８ａ  プリズム
９  保持部（挟持部材）
１１  穴（制限用開口部）
２０  巻き取り側リール収容室
２１  供給側リール収容室
２３  巻き取り側のリール
２４  供給側のリール
【図１】
0003558027.tif 000002
【図２】
0003558027.tif 000003
【図３】
0003558027.tif 000004
【図４】
0003558027.tif 000005
【図５】
0003558027.tif 000006
【図６】
0003558027.tif 000007
【図７】
0003558027.tif 000008
【図８】
0003558027.tif 000009
【図９】
0003558027.tif 000010
【図１０】
0003558027.tif 000011
【図１１】
0003558027.tif 000012
【図１２】
0003558027.tif 000013
【図１３】
0003558027.tif 000014